(57)【特許請求の範囲】
【請求項１】
両側にパネルを配設可能とした支持柱を有し、該支持柱の前面に、両パネルの側端部間に挟まれるように目地部材を着脱自在に取り付けるようにした目地保持装置であって、
前記支持柱の適宜位置に固定される複数の目地保持具を備えており、
前記目地保持具は、目地部材を保持する目地保持部と、前記支持柱に係止される係止突部とを備えており、
前記支持柱は、前記目地保持具の前記係止突部を係止する係止受部を備えており、該係止受部で係止固定した前記目地保持具の前記目地保持部を介して、前記目地部材を保持するようになっており、
前記支持柱は、長手方向に沿って、開口と、両側壁と、底部とにより形成された溝空間を有した形状とされ、該両側壁には、該溝空間内で相互に対向する一対の挟持対片が突出形成され、前記溝空間と前記一対の挟持対片とを含んで前記係止受部を構成しており、
前記係止突部は、後方に突出した後方突部と、前記支持柱の両側方に突出した一対の側方突部とを備えており、前記後方突部が前記溝空間に挿入され、前記一対の側方突部のそれぞれが前記一対の挟持対片のそれぞれに挟持されることで、前記目地保持具が前記支持柱に固定される構造となっており、
前記一対の側方突部を前記支持柱の開口の形成方向に向けた状態で、前記目地保持具の前記係止突部を前記溝空間の前記底部の方向に向けて、前記後方突部の先端が前記底部に当接するまで挿入することで、前記側方突部の挟持される位置が決められ、前記目地保持具を略９０度回転させて前記一対の側方突部のそれぞれを各挟持対片間に装着するようにしたことを特徴とする目地保持装置。
【請求項２】
請求項１において、
前記一対の側方突部のそれぞれは、板状に形成され、先端角部の少なくとも一方がアール状に形成されていることを特徴とする目地保持装置。
【請求項３】
請求項１または２において、
前記側方突部は、前記溝部の挟持対片間を広げるように押圧する弾性部を備えていることを特徴とする目地保持装置。
【発明の詳細な説明】
【技術分野】
【０００１】
本発明は、両側にパネルを配設可能とした支持柱を有し、その支持柱の前面に、両パネルの側端部間に挟まれるように目地部材を着脱自在に取り付けた目地保持装置に関する。
【背景技術】
【０００２】
既存壁にパネルを配設する方法として、既存壁に複数の支持柱を配設し、隣設された支持柱間にパネルを固定する方法が採られている。このようにして取り付けたパネルとパネルとの間には、その隙間つまり支持柱の露出された部分を隠すための目地部材が取り付けられる（例えば、特許文献１参照）。
【０００３】
図１０は、従来のこの種の目地部材の保持構造の一例を示す斜視図である。なお、この図には説明の都合上、支持柱の裏側から見た斜視図を示している。
【０００４】
この図例のものは、中空の支持柱１００の前面（図中、上面）に、長手方向に沿って目地部材１１０取付用の開口１０１が形成されている。
【０００５】
一方、目地部材１１０は本体部１１１の裏面より延出された一対の嵌合片１１２を備えている。この嵌合片１１２の先端には係止部１１２ａが設けてあり、その係止部１１２ａを支持柱１００の開口縁１０２に係止させることで、目地部材１１０をパネル３間の隙間に取り付けできるようになっている。具体的には、嵌合片１１２の係止部１１２ａにはガイド面１１２ｂが形成されており、このガイド面１１２ｂを開口縁１０２に当て嵌合片１１２を内側に撓ませながら溝空間に挿入することで、係止部１１２ａが開口縁１０２に係止されるようになっている。
【０００６】
なお、目地部材１１０のパネル３の側端面に向けて斜め方向に延出形成された両片は、目地部材１１０をパネル３間に装着することで弾性変形する翼片１１３であり、これによりパネル３、３間の寸法誤差によらず、隙間を隠すことができる。
【先行技術文献】
【特許文献】
【０００７】
【特許文献１】特開２００８−１８４８７２号公報
【発明の概要】
【発明が解決しようとする課題】
【０００８】
しかしながら、上記の構造では、嵌合関係にある目地部材１１０の嵌合片１１２と、支持柱１００の開口１０１とがともに両部材の全長にわたる長尺寸法となっているため、嵌合する際に嵌合片１１２を弾性変形させるためには強い力を要する。そのため目地部材１１０の取り付けはきわめて困難なものであった。また、目地部材１１０の取り外しについては、取り付けの際のガイド面のような弾性変形をしやすくする部位がないため、さらに困難であった。
【０００９】
係止部を簡易に係止させるために、嵌合片を支持柱の全長にわたり形成せず、複数個所に分散させて設けることも想定できるが、パネルの高さ寸法に応じて支持柱を切断して使用するため、嵌合片の形成位置を特定することは困難である。
【００１０】
本願発明は、上記事情を考慮して提案されたもので、その目的は、目地部材の支持柱への固定が容易に行え、かつ取り外しも簡単に行える目地保持装置を提供することにある。
【課題を解決するための手段】
【００１１】
上記目的を達成するために、本発明に係る目地保持装置は、両側にパネルを配設可能とした支持柱を有し、該支持柱の前面に、両パネルの側端部間に挟まれるように目地部材を着脱自在に取り付けるようにした目地保持装置であって、支持柱の適宜位置に固定される複数の目地保持具を備えており、目地保持具は、目地部材を保持する目地保持部と、支持柱に係止される係止突部とを備えており、支持柱は、目地保持具の係止突部を係止する係止受部を備えており、係止受部で係止固定した目地保持具の目地保持部を介して、目地部材を保持するようになっており、支持柱は、長手方向に沿って、開口と、両側壁と、底部とにより形成された溝空間を有した形状とされ、両側壁には、溝空間内で相互に対向する一対の挟持対片が突出形成され、溝空間と一対の挟持対片とを含んで係止受部を構成しており、係止突部は、後方に突出した後方突部と、支持柱の両側方に突出した一対の側方突部とを備えており、後方突部が溝空間に挿入され、一対の側方突部のそれぞれが一対の挟持対片のそれぞれに挟持されることで、目地保持具が支持柱に固定される構造となっており、一対の側方突部を支持柱の開口の形成方向に向けた状態で、目地保持具の係止突部を溝空間の底部の方向に向けて、後方突部の先端が底部に当接するまで挿入することで、側方突部の挟持される位置が決められ、目地保持具を略９０度回転させて一対の側方突部のそれぞれを各挟持対片間に装着するようにしたことを特徴とする。
【００１６】
さらに本発明において、一対の側方突部のそれぞれは板状に形成され、先端角部の少なくとも一方がアール状に形成されるようにしてもよい。
【００１７】
また本発明において、側方突部が溝部の挟持対片間を広げるように押圧する弾性部を備える構成としてもよい。
【発明の効果】
【００１８】
本発明に記載の目地保持装置によれば、上述の構成としているため、目地部材の支持柱への固定が容易に行え、取り外しも簡単に行える。
【図面の簡単な説明】
【００１９】
【図１】本発明の一実施形態に係る目地保持装置の一部を示した斜視図である。
【図２】パネルを支持柱を用いて保持させるようにしたパネル保持装置におけるパネルの着脱要領を示す概略斜視図である。
【図３】（ａ）は目地保持装置に用いられる目地保持具の斜視図、（ｂ）は目地保持装置に用いられる支持柱の正面図である。
【図４】（ａ）、（ｂ）は目地保持具の斜視方向の異なる斜視図である。
【図５】（ａ）は目地保持具の正面図、（ｂ）は同側面図、（ｃ）は同平面図である。
【図６】目地保持具に対する目地部材の取り付け状態を示した正面図である。
【図７】目地保持装置の一部を示した分解斜視図である。
【図８】目地保持装置の要部斜視図である。
【図９】本発明の他の実施形態に係る目地保持装置の一例を示す斜視図である。
【図１０】従来の目地部材の保持構造の一例を示す斜視図である。
【発明を実施するための形態】
【００２０】
以下に、本発明の実施形態について、添付図面を参照しながら説明する。
【００２１】
図１〜図８は、本発明の一実施形態に係る目地保持装置の一例に関する説明図である。
【００２２】
本目地保持装置１は、パネル３を支持柱１０を用いて保持させるようにしたパネル保持装置２において、両パネル３、３の側端部３ａ、３ａ間に挟まれるように着脱自在に取り付けられる目地部材３０を保持する装置である。
【００２３】
パネル保持装置２は、図２に示すように、壁４の表面に、上下方向に延出する支持柱１０を上下の枠部５、５間に挟まれるように水平方向に並設させて構成される。そして、隣設された支持柱１０、１０間にパネル３が保持される。なお、パネル３は種々の固定金具（不図示）を用いて支持柱１０に固定される。
【００２４】
つまり、図１に示すように、１つの支持柱１０に対して、その両側に２枚のパネル３が配されて固定される。なお、支持柱１０等は図２に示すように立設されるものであるが、図１、図３〜図７には、説明の都合上、横設状態を上方より見た斜視図を示しており、図１中の矢印Ｆは前方を示している。この方向を基準として前、後方向を定義して、目地保持装置１（支持柱１０、目地保持具２０）の構成各部の名称を規定し、以下ではその基準に準じて説明する。
【００２５】
目地部材３０は、２枚のパネル３、３の側端部３ａ、３ａ間の、支持柱１０の前方に位置する隙間を隠すように着脱自在に取り付けられる。なお、目地部材３０としては、その長手方向の全長寸法がパネル３の長手辺の寸法に合致したものを用いてもよいし、長手方向に沿って複数に分割されたものを用いてもよい。
【００２６】
この目地部材３０は、前面に凹凸模様を施した本体部３１と、その両側端よりパネル３の側端面に向けて斜め後方に突出した１組の翼片３３、３３と、本体部３１の後面の両側端より後方に向けて延出形成された１組の嵌合片３２、３２とを備えている。
【００２７】
嵌合片３２は、目地部材３０を支持柱１０に固定するための部位であり、その先端（後端）には、支持柱１０に固定された目地保持具２０に係止固定するための係止爪３２ａ（図６参照）が形成されている。
【００２８】
また、翼片３３は、目地部材３０をパネル３、３間に装着することで弾性変形する弾性片で構成されており、これによりパネル３、３間の寸法誤差によらず、パネル３、３間を隙間なく隠す構成となっている。
【００２９】
本目地保持装置１は、支持柱１０と、目地部材３０を直接的に保持する複数の目地保持具２０とを備えて構成されている。
【００３０】
以下、詳細に説明する。
【００３１】
本実施形態で示した例は、支持柱１０の前面に開口１３を有し、長手方向に沿って形成された溝空間１２に対して、複数の目地保持具２０のそれぞれを係止固定する構造となっている。
【００３２】
この溝空間１２は、開口１３と、両側壁１４、１４と、底部１５とにより形成されており、その両側壁１４、１４のそれぞれには側壁１４、１４間で相互に対向する対向片１６ｂが開口縁片１６ａと平行にかつ略同じ長さに突出形成されている。この対向片１６ｂと、開口縁片１６ａとにより、後述する目地保持具２０の係止突部２１の側方突部２２を挟持固定する挟持対片１６を構成している。つまり、溝空間１２および挟持対片１６等が、目地保持具２０の係止突部２１を係止する係止受部１１を構成している。
【００３３】
なお、支持柱１０はパネル３を固定する関係上、強度を考慮した幅寸法に形成されているが、後述するように目地保持具２０を係止固定するために、目地保持具２０の寸法に対応させて、外壁１７より肉抜き空間を介して側壁１４が形成してある。
【００３４】
一方、目地保持具２０は、図３（ａ）、図４および図５に示したように正面視十字形状とされ、前方（図中上方）に突出した目地固定部２５と、両側方に突出した一対の側方突部２２、２２と、後方に突出した後方突部２３とを有した形状となっている。これらの各部のうち両側方突部２２、２２と後方突部２３とが、支持柱１０の係止受部１１に係止される係止突部２１を構成している。
【００３５】
この目地保持具２０の各部のうち、まず支持柱１０へ固定する構造（係止突部２１）について説明する。
【００３６】
係止突部２１の側方突部２２は、平面視略矩形状をなしており、一方の側方突部２２の側端から他方の側方突部２２の側端までの寸法は溝空間１２の側壁１４間の寸法にほぼ合致している。
【００３７】
また、各側方突部２２の先端（側端）の一方の角部がアール状に形成されている。このアール角部２２ａは、目地保持具２０を支持柱１０に装着する際に回転操作をしやすくするためのものであり、そのため図例のように、相互に点対称の位置にある角部をアール状とすることが望ましい。
【００３８】
また、側方突部２２の表面側には、両辺縁間の中央部から辺縁に向けて傾斜突出するように延びた板片状の弾性部２２ｃが凹部２２ｄ（図５（ａ）（ｂ）参照）底面よりもやや浮いた状態に形成されている。この弾性部２２ｃは、目地保持具２０を支持柱１０に装着する際、回転操作後に目地保持具２０自身を確実に固定させるためのものであり、突出部２２ｃａを表面側より押圧すると付勢され、押圧を解除すると弾性力によって復帰する構成となっている。また図例のように、相互に点対称の位置にある辺縁部に形成することが望ましく、回転操作をしやすくするために、緩やかに傾斜突出させたものが望ましい。なお、弾性部２２ｃは板片状のものに代えて、ゴム等の弾性体を側方突部の表面に取り付けて形成したものでもよい。
【００３９】
また、側方突部２２の裏面側には段部２２ｂが形成されており、その段部２２ｂには、側方突部２２のアール角部２２ａと同様、回転操作をしやすくするためのアール角部２２ｂａが形成されている。一方の段部２２ｂの側端から他方の段部２２ｂの側端までの寸法は、溝空間１２で相互に対向する対向片１６ｂ、１６ｂ間の寸法にほぼ合致している。
【００４０】
係止突部２１の後方突部２３は、矩形の板片状に形成されており、側方突部２２が挟持対片１６に挟持された状態では、溝空間１２に対して遊挿された状態にあり、後方突部２３の先端は溝空間１２の底部１５に当接している。つまり後述するように、後方突部２３は側方突部２２を係止固定操作するための位置決め部として作用する。
【００４１】
一方、目地保持具２０の目地固定部２５は、側方突部２２と同一方向に突出したストッパ片２５ａ、２５ａと、それらのストッパ片２５ａ、２５ａのそれぞれと同一方向に突出した係止凸部２５ｂ、２５ｂとを備えている。
【００４２】
目地部材３０の１組の嵌合片３２、３２は、目地固定部２５に嵌合する際には、係止爪３２ａが係止凸部２５ｂに当たることで弾性拡開する。そして、それぞれの先端が目地固定部２５の各ストッパ片２５ａ、２５ａに当接して位置決めされて、嵌合片３２、３２は係止凸部２５ｂ、２５ｂに係止される（図５（ａ）および図６参照）。
【００４３】
ついで、支持柱１０に対する目地保持具２０の取り付け手順について、図７、図８を参照しながら説明する。
【００４４】
支持柱１０の溝空間１２の開口１３の形成方向に両側方突部２２、２２を向けた状態にして、目地保持具２０の係止突部２１を溝空間１２に、図７の矢印Ｘの方向に、後方突部２３が溝空間１２の底部１５に当たるまで挿入する。
【００４５】
つぎに、溝空間１２に挿入された目地保持具２０を、図７の矢印Ｙ方向に略９０度回転させて、両側方突部２２、２２のそれぞれを支持柱１０の各挟持対片１６、１６の間に挟みこませる。
【００４６】
目地保持具２０の側方突部２２にはアール角部２２ｂａが形成されているため、側方突部２２の先端が溝空間１２の側壁面にひっかかることなく、スムーズに回転させることができる。また同様に、側方突部２２の裏面の段部２２にはアール角部２２ｂａが形成されているため、対向片１６ｂの側端面にひっかかることなく、容易に回転させることができる。
【００４７】
上述したように、両側方突部２２の側端間寸法と側壁１４間寸法とを合致させ、かつ他方の角部がアール形成されていないため、側壁１４間に側方突部２２がきっちりと嵌まり込んだのちは、さらに回転するおそれはない。また、本実施形態では、側方突部２２の裏面側の両段部２２ｂも両対向片１６ｂ、１６ｂの側端間に嵌合できる寸法としているが、本実施形態では側方突部２２が側壁１４間に嵌合される構成であるため、このような段部２２ｂを設けなくてもよい。
【００４８】
また、側方突部２２が挟持対片１６に挟持される構成であるため、目地保持具２０が装着されたのちには前後へのずれおよび回転ずれが発生するおそれはない。特に、弾性部２２ｃが作用して挟持対片１６の挟持力を補完するため、目地保持具２０がいったん正しい位置に固定されたのちにずれ動くことはほとんどない。
【００４９】
こうして、複数の目地保持具２０は支持柱１０の長手方向の適宜位置に装着、固定される。
【００５０】
その後、パネル３を取り付けた後に（図１参照）、目地部材１０をパネル３、３間に、図７の矢印Ｚ方向に挿入することで、目地部材３０の嵌合片３２が目地保持具２０の目地固定部２５に係止固定されて、目地部材３０が正しく装着される。
【００５１】
以上に示した目地保持装置１の構成によれば、支持柱１０の長手方向の適所に複数の目地保持具２０が分離して取り付けられるため、目地部材３０の支持柱１０に対する固定が容易に行える。すなわち、目地部材３０を固定するための目地保持具２０の目地固定構造が支持柱１０の全長にわたるものではないため、目地部材３０を装着する際の嵌合片３２の弾性変形を小さな力で行うことができる。また、目地部材３０の取り外しも容易に行える。特に本実施形態の例では、目地保持具２０の係止突部２５ｂが鉤状、爪状のものではなく小突起で形成されているため、目地部材３０の取り付け、取り外しがさらに簡易に行える。
【００５２】
また、本実施形態の目地保持装置１によれば、目地保持具２０が支持柱１０に係止される係止突部２１を備え、一方、支持柱１０が係止突部２１を係止する係止受部１１を備えているので、目地保持具２０を支持柱１０にずれることなく固定できる。目地保持具２０は目地部材３０を保持する目地保持部２５をさらに備えているので、目地部材３０を目地保持具２０を介して確実に支持柱１０に固定できる。
【００５３】
なお、目地部材３０をさらに取り付けしやすくするために、嵌合片３２を目地部材３０の長手方向の適所に分離して形成してもよく、例えば目地保持具２０に対応する部分にのみ形成してもよい。
【００５４】
また、支持柱１０の溝空間１２の深さ寸法と、目地保持具２０の後方突部２３の長さ寸法を合致させているので、目地保持具２０の装着操作において、側方突部２２と挟持対片１６との位置合わせが簡単に行える。
【００５５】
以上に示した実施形態の例では、目地保持具２０の係止突部２１の側方突部２２を支持柱１０に固定させ、後方突部２３は溝空間１２に遊挿させる（位置決め片として作用する）構成としたが、後方突部２３も嵌合、固定させる構成としてもよい。例えば、後方突部２３を円柱体に形成し、この後方突部２３を支持柱１０の開口１３（係止受部）に圧入する構成としてもよい。
【００５６】
また、図９に示すように、目地保持具２０が係止突部２１として２つの後方突部２３、２３を備え、これらを支持柱１０の前面に設けた、係止受部１１として形成された２つの孔に圧入する構成としてもよい。なお、圧入固定を確実にするために、後方突部２３の一部または全体を弾性体で形成することが望ましい。
【００５７】
このような構成であるため、目地保持具２０を支持柱１０に簡単に取り付けることができる。目地部材３０は後方突部２３が孔に圧入、係止される構成であるため、いったん装着されればその後、容易には外れない。また、目地保持具２０は２つの後方突部２３で支持柱１０に固定されるようになっているため、回転ずれも起こらない。
【符号の説明】
【００５８】
１      目地保持装置
１０      支持柱
１１      係止受部
１２      溝空間
１３      開口
１４      側壁
１５      底部
１６      挟持対片
１６ａ      開口縁片
１６ｂ      対向片
１７      外壁
２０      目地保持具
２１      係止突部
２２      側方突部
２２ａ      アール角部
２２ｂ      段部
２２ｂａ      アール角部
２２ｃ      弾性部
２３      後方突部
２５      目地固定部
２５ａ      ストッパ片
２５ｂ      係止凸部
３０      目地部材
３１      本体部
３２      嵌合片
３２ａ      係止爪
３３      翼片
２      パネル保持装置
３      パネル
３ａ      側端部
【図１】
0005799243.tif 000002
【図２】
0005799243.tif 000003
【図３】
0005799243.tif 000004
【図４】
0005799243.tif 000005
【図５】
0005799243.tif 000006
【図６】
0005799243.tif 000007
【図７】
0005799243.tif 000008
【図８】
0005799243.tif 000009
【図９】
0005799243.tif 000010
【図１０】
0005799243.tif 000011